(57)【特許請求の範囲】
【請求項１】
フェライトタイルの複数個を接触させて列状に配列し、その周囲を結合剤を含浸させて硬化させた芳香族ポリアミド繊維等の非導電性の高強度繊維の組紐で覆ったことを特徴とする電波吸収構造体。
【請求項２】
芳香族ポリアミド繊維等の非導電性の高強度繊維を中空組紐編成して形成され且つ結合剤が含浸された長手の繊維筒内に、複数個のフェライトタイルを接触させて列状に設け、該結合剤を硬化させて該繊維筒内で該フェライトタイルが連続する柱状体に形成したことを特徴とする電波吸収構造体。
【請求項３】
芳香族ポリアミド繊維等の非導電性の高強度繊維を中空組紐編成して形成され且つ結合剤が含浸された長手の繊維筒内に、複数個のフェライトタイルを接触させて列状に設け、該結合剤を硬化させて該繊維筒内で該フェライトタイルが連続する柱状体に形成した構成の電波吸収構造体の複数本を、導電性のメッシュの片面に沿わせて適当な間隔で配置し、これら電波吸収構造体及びメッシュをコンクリート内に埋設したことを特徴とする土木・建築部材。
【請求項４】
上記間隔を存して配置した各電波吸収構造体の前方に各電波吸収構造体と交叉させて非導電性の高強度繊維から成る補強筋を配置したことを特徴とする請求項３に記載の土木・建築部材。
【請求項５】
上記導電性のメッシュは高強度繊維のメッシュであることを特徴とする請求項３に記載の土木・建築部材。
【請求項６】
芳香族ポリアミド繊維等の非導電性の高強度繊維を中空組紐編成して形成され且つ結合剤が含浸された長手の繊維筒内に、複数個のフェライトタイルを接触させて列状に設け、該結合剤を硬化させて該繊維筒内で該フェライトタイルが連続する柱状体に形成した構成の電波吸収構造体の複数本を、間隔を存して平行に配置し、これらの電波吸収構造体をこれと交叉させて配置した非導電性の高強度繊維から成る補強筋に結着したことを特徴とする土木・建築部材。
【請求項７】
導電性のメッシュの片面に複数本の非導電性の継ぎ手を突設し、該継ぎ手に非導電性の高強度繊維の棒状補強材の複数本を該片面に平行に取り付けて略扁平立方体の籠を形成し、該籠内に、芳香族ポリアミド繊維等の非導電性の高強度繊維の中空組紐編成した長手の繊維筒内に複数個のフェライトタイルを接触させて列状に収容すると共に該高強度繊維同士を結合剤により結合して形成した柱状の電波吸収構造体の複数本を該片面に平行に取り付け、これら籠及び電波吸収構造体をコンクリート内に埋設したことを特徴とする土木・建築部材。
【発明の詳細な説明】
【０００１】
【発明の属する技術分野】
本発明は、土木建築構造物に適用される電波吸収構造体と該電波吸収構造体を使用するための土木・建築部材に関する。
【０００２】
【従来の技術】
従来、建築構造物の電波反射を防止するためこれに電波吸収壁を設けることが行なわれている。電波吸収材料としては、炭素粉末、チタン酸バリウム、フェライトが知られており、これらの材料のうち、建築構造物には化学的に安定で電気定数の経年劣化が少なく耐候性に優れたフェライトをタイル状に焼結して使用することが多い。電波吸収壁は、例えば図１のように上下の磁界方向に連続する金属板ａの前面にタイル状のフェライトｂを適当な取付部材を使用して取り付けることにより構成される。また、タイル状のフェライトｂを、図２或いは図３に示すように、金属板ａの前方にコンクリート層ｃを介して或いはコンクリート層ｃ内に設けることも行われている。
【０００３】
【発明が解決しようとする課題】
タイル状のフェライトは、１００×１００ｍｍ程度のもので、その多数枚を互いに適当な間隔を存して取付金具で建築物に取り付けなければならず、取付作業が非常に煩雑である。実際には、多数のタイル状フェライトを個々に固定するために多数の押え板やアンカーボルトを使用して現場で構築作業が行われており、作業性が悪い欠点がある。こうした煩雑さの欠点は、比較的大きなフェライト構造体を使用することにより解決できると考えられるが、フェライトは焼結により作製される脆いものであるから、単体では大きな寸法のものは得られない。また、例えば鉄筋コンクリート構造の躯体の構築と同時に電波吸収壁を構築できれば工程が簡略化されて好ましい。
【０００４】
本発明は、構造用材料としての充分な強度を有し取付の容易な電波吸収構造体を提供すること、及びこの電波吸収構造体を使用した土木・建築部材を提供することを目的とするものである。
【０００５】
【課題を解決するための手段】
本発明では、上記の目的を達成するため、フェライトタイルの複数個を接触させて列状に配列し、その周囲を結合剤を含浸させて硬化させた芳香族ポリアミド繊維等の非導電性の高強度繊維の組紐で覆うようにした。また、芳香族ポリアミド繊維等の非導電性の高強度繊維を中空組紐編成して形成され且つ結合剤を含浸させた長手の繊維筒内に、複数個のフェライトタイルを接触させて列状に設け、該結合剤を硬化させて該繊維筒内で該フェライトタイルが連続する柱状体に形成することによっても上記の目的が達成される。この柱状体の電波吸収構造体は、フェライトタイルが結合剤で固められた高強度繊維の繊維筒で囲まれているので、個々のフェライトタイルの取付作業が不要で、周囲の繊維筒が組紐状に編成されているため該柱状体に加わる引張力に耐え得る高強度を備え、例えば構造物の壁面の補強材として鉄筋の代わりに使用でき、内部のフェライトタイルが入射する電波を吸収して構造物自体で電波を吸収させることができる。
【０００６】
該柱状体の電波吸収構造体の複数本を、導電性のメッシュの片面に沿わせて適当な間隔で配置し、これら電波吸収構造体及びメッシュをコンクリート内に埋設することにより、或いは、該電波吸収構造体の複数本をこれに交叉させた非導電性の高強度繊維から成る補強筋に結着することにより、或いは、導電性のメッシュの片面に複数本の非導電性の継ぎ手を突設し、該継ぎ手に非導電性の高強度繊維の棒状補強材の複数本を該片面に平行に取り付けて略扁平立方体の篭を形成し、該篭内に、芳香族ポリアミド繊維等の非導電性の高強度繊維の中空組紐編成した長手の繊維筒内に複数個のフェライトタイルを列状に収容すると共に該高強度繊維同士を結合剤により結合して形成した柱状の電波吸収構造体の複数本を該片面に平行に取り付け、これら篭及び電波吸収構造体をコンクリート内に埋設することにより、土木・建築部材とし、これを使用することで土木建築物を構築しながら電波吸収面の構築ができる。
【０００７】
【発明の実施の形態】
芳香族ポリアミド繊維等の有機繊維やガラス繊維等の無機繊維であって非導電性で高い引張強度を有し且つ組紐状に編成可能な繊維の束を複数束用意し、フェライトタイル３の周囲を囲むように、組紐編成機により編組しながら、エポキシ樹脂等の結合剤を当該組紐に滴下、含浸して図４のような中空組紐の繊維筒１を編成する。該フェライトタイル３は例えば１０ｃｍ角、厚さ８ｍｍであり、このフェライトタイル３の複数個を端部が連続した列状に該組紐編成機の編成部に位置させ、その周囲に中空組紐を編成していく。この編成を終えたときは中空組紐の繊維筒１の結合剤が未硬化であるが、これを続いて加熱硬化炉へ導いて結合剤を硬化させると、剛性を持つ図４のような繊維筒内部２でフェライトタイル３が連続した柱状体の電波吸収構造体４が得られる。尚、繊維筒１の編成直後に適当な長さに切断するか、結合剤の加熱硬化後に適当な長さに切断するかは任意である。
【０００８】
該柱状体の電波吸収構造体４は、その周囲の繊維筒１が例えば芳香族ポリアミド繊維の高強度繊維であるために結合剤の硬化後は比較的剛性を具備し、鉄筋等の構造用材料と同等の引張り強度を持ち、軽量でその取り扱いも容易で、電波障害の発生を防止すべき箇所にこれを設置することで多数のフェライトタイル３を一挙に取り付けでき作業性が大幅に向上する。また、該構造体４は、鉄筋と匹敵する程の引張強度を持つから、これを電波障害の原因となりうる土木建築物の壁面等の構造を構築するための例えば鉄筋の代わりの補強材として使用すれば、土木建築物の構造自体にそのまま電波吸収機能を持たせることができる。尚、該構造体４はその長さ方向を上下にして設けられ、該構造体４の電波到来方向後方には電波吸収原理に従って導電性の反射体が併置される。
【０００９】
該柱状体の電波吸収構造体４の複数本を、図５及び図６に示すように、互いに平行に且つ導電性のメッシュ５の片面に沿わせて適当な間隔を存して配置し、これら電波吸収構造体４及びメッシュ５を内蔵するようにセメントコンクリートや軽量コンクリート、軽量モルタル等のコンクリート６を打設すると、電波吸収機能を有する土木・建築部材７を構成できる。該導電性のメッシュ５には腐蝕性のない高強度繊維である炭素繊維のメッシュを使用することが好ましいが、金網を使用することも可能である。８は土木・建築部材７に埋設した互いに平行な該構造体４と交叉方向の強度を発現させるための非導電性の高強度繊維を固めた棒状補強材である。該土木・建築部材７を工場等に於いて板状に作製しておけば、例えばＰＣパネルや仕上げ下地兼用打捨型枠として柱の周囲などに張り付け、或いは柱の構築に使用し、或いは鉄骨を被覆して簡単に電波吸収工事を行えるが、現場に於いて該土木・建築部材７を作製することも可能である。図６の構成の土木・建築部材７では、到来した電波の一部は電波吸収構造体４の間を通過するが、通過した電波は、その後方の導電性のメッシュ５にて反射され、フェライトタイル３に吸収される。
【００１０】
該土木・建築部材７の作製をより簡単にするため、該電波吸収構造体４の複数本に芳香族ポリアミド繊維等の非導電性の高強度繊維から成る補強筋を交叉させて取り付けておき、或いは、該導電性のメッシュ５の片面に、図７に示すように複数本の非導電性の継ぎ手９、９を突設し、該継ぎ手９に非導電性の高強度繊維の棒状補強材８の複数本を該片面に平行に取り付けて略扁平立方体の篭１０を予め形成しておくことが有利である。この場合、該篭１０内に、該電波吸収構造体４の複数本を該メッシュ５の片面に平行になるように例えば針金等の係着材で該棒状補強材８に取り付け、これら篭１０及び電波吸収構造体４をコンクリート６内に埋設すれば電波吸収機能を有する土木・建築部材７が簡単且つ短時間に作製できる。
【００１１】
該電波吸収構造体４のメッシュ５に炭素繊維のメッシュを使用すれば、耐久性も良く、軽量で十分な強度を持ち、その電波吸収性能は、従来のフェライトタイルを使用した電波吸収材と同等になる。
【００１２】
【発明の効果】
以上のように本発明によるときは、フェライトタイルを芳香族ポリアミド繊維等の非導電性の高強度繊維を中空組紐内に設けて該繊維を結合剤で固め柱状体の電波吸収構造体としたので、その取り付けや取り扱いが容易な大型の電波吸収材が得られ、軽量で十分な強度を有し、コンクリート中に埋設して土木建築物と一体に使用でき、請求項３の如く配置してコンクリート内に埋設することにより、軽量且つ十分な強度を有する電波吸収可能な大型の土木・建築部材が得られ、電波吸収壁構築作業を簡略化でき、請求項４及び５の構成とすることにより耐蝕性が向上する効果を付加することができ、更に請求項６及び７の構成とすることで軽量且つ十分な強度を有し製作容易な電波吸収用の土木・建築部材が得られ構築作業が簡略化できる効果がある。
【図面の簡単な説明】
【図１】従来の電波吸収壁の説明図
【図２】従来の電波吸収壁の断面図
【図３】従来の他の電波吸収壁の断面図
【図４】本発明の電波吸収構造体の一部切断斜視図
【図５】本発明の土木・建築部材の実施例の切断平面図
【図６】図５の実施例の要部の斜視図
【図７】請求項５及び６の実施例の要部の斜視図
【符号の説明】
１  繊維筒                ２  繊維筒内部          ３  フェライトタイル  ４  電波吸収構造体        ５  導電性のメッシュ    ６  コンクリート
７  土木・建築部材        ８  棒状補強材          ９  継ぎ手
１０  籠
【図１】
0003542429.tif 000002
【図２】
0003542429.tif 000003
【図３】
0003542429.tif 000004
【図４】
0003542429.tif 000005
【図５】
0003542429.tif 000006
【図６】
0003542429.tif 000007
【図７】
0003542429.tif 000008